(57)【要約】  照明装置であって、当該照明装置は多数の発光モジュールを有しており、・各発光モジュール（１ａ、１ｂ）は多数の、光源（３ａ、３ｂ、３ｃ）のグループ（２）を有しており、当該グループは発光モジュール（１）の導体プレート（４）上に被着されており、・発光モジュール（１ａ、１ｂ）は行毎に照明装置の担体（６）上に配置されている。さらに、このような照明装置を備えた表示装置が提示されている。
2009519568.tif 000002
【特許請求の範囲】
【請求項１】
照明装置であって、
当該照明装置は多数の発光モジュールを有しており、
・各発光モジュール（１ａ、１ｂ）は多数の、光源（３ａ、３ｂ、３ｃ）のグループ（２）を有しており、当該グループは発光モジュール（１）の導体プレート（４）上に被着されており、
・発光モジュール（１ａ、１ｂ）は行毎に照明装置の担体（６）上に配置されている、
ことを特徴とする照明装置。
【請求項２】
前記光源（３ａ、３ｂ、３ｃ）の少なくとも１つは発光ダイオードを含んでいる、請求項１記載の照明装置。
【請求項３】
前記発光ダイオードは、ビーム形成のために設けられた発光ダイオードチップ（３００）と光学素子（２００）を含んでおり、当該光学素子は光軸（６０）を有しており、
・前記光学素子（２００）はビーム出射面（２１０）を有しており、
・当該ビーム出射面（２００）は凹状に湾曲された部分領域（５０）と、当該凹状に湾曲された部分領域（５０）を光軸（６０）に対して間隔をあけて少なくとも部分的に取り囲んでいる凸状に湾曲された部分領域（７０）とを有しており、前記光軸（６０）は前記凹状に湾曲された部分領域（５０）を通って延在している、請求項１または２記載の照明装置。
【請求項４】
前記発光ダイオードチップ（３００）は薄膜発光ダイオードチップによって形成されている、請求項１から３までのいずれか１項記載の照明装置。
【請求項５】
少なくとも１つの第１の発光モジュール（１ａ）と、少なくとも１つの第２の発光モジュール（１ｂ）とを有しており、当該第１の発光モジュール（１ａ）は第２の発光モジュール（１ｂ）とは異なっている、請求項１から４までのいずれか１項記載の照明装置。
【請求項６】
前記第１の発光モジュールおよび第２の発光モジュール（１ａ／１ｂ）は、行毎に交互に前記担体（６）上に配置されている、請求項１から５までのいずれか１項記載の照明装置。
【請求項７】
前記第２の発光モジュール（１ｂ）は、前記第１の発光モジュール（１ａ）の導体プレート（４）上に垂直に延在している軸（Ａ）を中心に前記第１の発光モジュール（１ａ）を回転させることによって実現される、請求項１から６までのいずれか１項記載の照明装置。
【請求項８】
光源（３ａ、３ｂ、３ｃ）の前記グループ（２）は、規則的な格子（Ｇ）の格子点（ＧＰ）に配置されている、請求項１から７までのいずれか１項記載の照明装置。
【請求項９】
光源（３ａ、３ｂ、３ｃ）の各グループ（２）は、規則的な格子（Ｇ）の格子点（ＧＰ）にセンタリングされている、請求項１から８までのいずれか１項記載の照明装置。
【請求項１０】
光源（３ａ、３ｂ、３ｃ）の前記各グループ（２）は、相互に異なった色の光を放出するのに適している、少なくとも２つの発光ダイオード（３ａ、３ｂ、３ｃ）を含んでいる、請求項１から９までのいずれか１項記載の照明装置。
【請求項１１】
光源（３ａ、３ｂ、３ｃ）の各グループ（２）は、白色光を放射するのに適している、請求項１から１０までのいずれか１項記載の照明装置。
【請求項１２】
照明装置を有する表示装置であって、
・画像形成ユニット（９０）と、
・当該画像形成ユニットのためのバックライト装置とを有しており、当該バックライト装置は請求項１から１１までのいずれか１項に記載された照明装置によって形成されている、
ことを特徴とする表示装置。
【請求項１３】
前記画像形成ユニット（９０）はＬＣＤパネルを含んでおり、当該ＬＣＤパネルは、少なくとも１の発光モジュール（１ａ、１ｂ）の導体プレート（４）に対して平行に配置されている、請求項１２記載の表示装置。
【発明の詳細な説明】
【技術分野】
【０００１】
照明装置を提示する。さらに、このような照明装置を備えた表示装置を提示する。
【０００２】
文献ＷＯ２００４／０３１８４４Ａ１号は照明装置を開示している。
【０００３】
この照明装置の少なくとも１つの実施形態によれば、照明装置は少なくとも１つの発光モジュールを含む。この発光モジュールは導体プレート並びに、この導体プレート上に載置された多数の光源グループを含む。導体プレートは光源に対する接続担体を形成する。導体プレートは例えば絶縁性に構成された基本体を含み、この基体上には導体路が構成されている。ここでこの導体路は導電性材料から成る。発光モジュールの光源は、導体プレートの導体路を介して電気的に接触接続されている。
【０００４】
発光モジュールの各光源グループは少なくとも１つの光源、有利には少なくとも２つの光源、特に有利には少なくとも３つの光源を含んでいる。
【０００５】
有利には、発光モジュールは、同様に構成された少なくとも２つの光源グループを含んでいる。これらのグループはこの場合には同数の同様の光源を含んでいる。同様に構成されたグループの光源はそれぞれ同じように相互に配置されている。すなわち、同様に構成された２つのグループの光源は例えば、同一のパターンに相応して配置されている。
【０００６】
照明装置の少なくとも１つの実施形態では、照明装置の少なくとも１つの発光モジュールは、照明装置の担体上に機械的に固定されている。有利には、多数の同様に構成された発光モジュールは担体上に固定されている。
【０００７】
少なくとも１つの実施形態では、照明装置の発光モジュールは行形式で、照明装置の担体上に配置されている。行形式の配置とはここでは、各発光モジュールが照明装置の少なくとも１つの行を形成していることを意味している。照明装置の行内には、属する発光モジュールの光源グループが水平方向で隣あって配置されている。この場合、垂直方向には、照明装置の別の行を形成する別の発光モジュールが続いている。
【０００８】
照明装置の少なくとも１つの実施形態では、各照明装置は多数の発光モジュールを有している。ここで各発光モジュールは多数の光源グループを含んでいる。これらの光源グループは発光モジュールの導体プレート上に載置されている。発光モジュールは行形式で、照明装置の担体上に配置されている。
【０００９】
少なくとも１つの実施形態では、照明装置の少なくとも１つの発光モジュールはストリップ形状に構成されている。有利にはこの場合には照明装置の全ての発光モジュールはストリップ状に構成されている。
【００１０】
ストリップ状とは殊に、発光モジュールの長さが発光モジュールの幅よりも長いことを意味する。ストリップ状とはさらに次のことを意味する。すなわち、多数の光源グループが、発光モジュールの主延在方向において隣あって、発光モジュールの導体プレート上に配置されていることを意味する。
【００１１】
少なくとも１つの実施形態では、照明装置は少なくとも１つの第１の発光モジュールと少なくとも１つの第２の発光モジュールを含んでいる。第１の発光モジュールと第２の発光モジュールは異なって構成されている。有利には、第１の発光モジュールの少なくとも１つの光源グループは、第２の発光モジュールの対応する光源グループと異なっている。対応する光源グループとはここでは、発光モジュールの同じ位置に配置されているグループであると理解されたい。例えば、第１の発光モジュールと第２の発光モジュールとでは、モジュールの右端と左端の光源グループが異なっている。これらの光源グループは例えば、相対的にグループの光源の配置が異なっている。
【００１２】
照明装置の少なくとも１つの実施形態では、第２の発光モジュールは、第１の発光モジュールを回転させることによって得られる。有利にはこの第２の発光モジュールは、第１の発光モジュールの主延在面上に垂直に延在する軸を中心に１８０°回転させることによって、第１の発光モジュールから作成される。すなわち、第１の発光モジュールと第２の発光モジュールとは、照明装置の担体上に載置されている向きにおいてのみ異なっている。
【００１３】
照明装置の少なくとも１つの実施形態では、照明装置の光源グループは、規則的な格子の格子点に配置されている。例えば、光源グループは、規則的な格子の格子点にセンタリングされている。このために例えば、光源グループの幾何学的形状の重心は、規則的な格子の格子点と重なる。これは、照明装置の全ての光源グループに対して有利である。
【００１４】
例えば、規則的な格子は以下の格子構造のうちの１つを有する：六角形、長斜方形、長方形、正方形、ひし形。
【００１５】
少なくとも１つの実施形態では、各光源グループは少なくとも１つの発光ダイオードを含んでいる。有利には各光源グループは少なくとも２つの発光ダイオードを含んでいる。これらの発光ダイオードは、相互に異なる色の光を放射するのに適している。すなわち、このグループは例えば、青色の光を放射するのに適している第１の発光ダイオードと、赤色の光を放射するのに適している第２の発光ダイオードと、緑色の光を放射するのに適している第３の発光ダイオードとを含んでいる。特に有利には、各グループは白色の混合光を放出するのに適している。すなわち、各照明源グループの発光ダイオードの光は混ざって、白色光になる。
【００１６】
少なくとも１つの実施形態では、発光モジュールの少なくとも１つの光源は発光ダイオードを含んでいる。有利には照明装置の全ての光源は、それぞれ１つの発光ダイオードによって構成されている。発光ダイオードは有利には１つの担体および／またはハウジング、少なくとも１つの発光ダイオードチップ並びに光学素子を含む。ここでこの光学素子は自身の放射方向において発光ダイオードチップの後方に配置されている。「後方に配置されている」とはここでは次のことを意味する。すなわち、発光ダイオードチップによって放射された電磁ビームの大部分が発光ダイオードの光学素子を通り、光学素子によって光学的に処理されることを意味する。
【００１７】
照明装置の少なくとも１つの実施形態では、照明装置の少なくとも１つの発光ダイオードはビーム形成のために設けられた発光ダイオードチップと光学素子を含んでいる。ここでこの光学素子は光軸を有している。光学素子はビーム出射面を有しており、ビーム出射面は凹状に湾曲した部分領域と、この凹状に湾曲した部分領域を光軸と間隔をあけて少なくとも部分的に取り囲んでいる凸状に湾曲した部分領域とを有している。光軸は凹状に湾曲した部分領域を通過している。
【００１８】
光学素子のビーム出射面のこのような形成によって、発光ダイオードの放射特性を変えることができる。従って光軸に対して０より大きい角度のもとで、光学素子を用いずに、発光ダイオードから取り出されたビーム出力を発光ダイオードの放射特性と比べて高めることができる。これには殊に、凸状に湾曲された部分領域が寄与する。この領域は、光軸に対して高い角度で、発光ダイオードから取り出されたビーム成分を高めることができる。従ってこのような光学素子を有している発光ダイオードは、比較的大きく、殊に平らな面を、光軸に対して側方にずらされた面領域においても均一に照明するのに、特に良好に適している。
【００１９】
照明装置の少なくとも１つの実施形態では、光学素子の光軸は発光ダイオードの発光ダイオードチップを通過する。発光ダイオードチップは殊に、光軸に関してセンタリングして配置される。すなわち、例えば、光軸は発光ダイオードチップのビーム出射面の幾何学的形状の中心を通る。有利には、光学素子の光軸は発光ダイオードチップのビーム出射面上に垂直に延在する。光学素子に対する発光ダイオードチップのこうような配置によって、光学素子を用いて発光ダイオードチップによって生成された電磁ビームの均一なビーム形成が容易になる。有利には光学素子は光軸に対して回転対称に構成されている。これによって、有利には光軸に対して方位的に均一でありかつ同形の照明装置放射特性が得られる。
【００２０】
照明装置の少なくとも１つの実施形態では、少なくとも１つの光源の発光ダイオードチップは薄膜発光ダイオードチップとして構成される。有利には照明装置の全ての発光ダイオードチップが、薄膜発光ダイオードチップとして構成される。すなわち発光ダイオードチップはエピタキシャルに成長された層列を含んでいる。ここでは成長基板は薄くされるか、または完全に除去される。エピタキシャルに成長された、層列の層はこの場合には、元来の成長基板と反対側を向いているその表面で以て、担体上に、または直接的に発光モジュールの導体プレート上に被着される。薄膜構造の光電半導体は例えば刊行物ＷＯ０２/１３２８１またはＥＰ０９０５７９７に記載されており、光電半導体チップの薄膜構造に関する開示内容はここに取り入れられている。
【００２１】
有利には照明装置の光源グループは次のように配置されている。すなわち照明装置から光源の放射方向において間隔をあけて配置されている面を均一な白色光で照明するのに照明装置が適するように配置されている。照明装置の少なくとも１つの実施形態では、照明装置の光源は照明装置の縁部において次のように配置されている。すなわち、縁部側に配置された光源の通過時に、周期的な一連の異なる色の光源が生じるように配置されている。すなわち例えば、縁部側に配置された光源の通過時に以下のように発光ダイオードが連続する：赤色発光ダイオード、緑色発光ダイオード、青色発光ダイオード、赤色発光ダイオード、緑色発光ダイオード、青色発光ダイオード、赤色発光ダイオード・・・のように連続する。
【００２２】
このようにして、照明されるべき面の縁部は均一に各色で照明される。従って縁部において光の均一な混合、有利には均一な白色混合光が生じる。
【００２３】
さらに表示装置が提示される。少なくとも１つの実施形態では表示装置は画像形成ユニットを含む。この画像形成ユニットは例えばＬＣＤパネル（ＬＣＤ−液晶ディスプレイ）として構成されている。画像形成ユニットは面を有しており、この面は少なくとも１つの実施形態において説明される照明装置によって後方照明される。ここで画像形成ユニットは有利には直接的に照明装置によって後方照明される。すなわち、画像形成ユニットは、照明装置の光源の放射得方向において、照明装置の後方に配置される。「後方に配置される」とはここでは、光源から放射された電磁ビームの少なくとも多くの部分が画像形成ユニットに入射することを意味している。有利には画像形成ユニットは、照明装置の担体に対して平行に配置されている。
【００２４】
以下では、本発明による照明装置を実施例およびそれらに対応する図面に基づきより詳細に説明する。
【００２５】
図１には、ここで説明する照明装置の第１の実施例を略示した平面図が示されている。
図２には、ここで説明する照明装置の第２の実施例を略示した平面図が示されている。
図３には、ここで説明する照明装置の第３の実施例を略示した平面図が示されている。
図４には、ここで説明する照明装置の第４の実施例を略示した平面図が示されている。
図５には、照明装置の発光モジュール１において使用されている発光ダイオード３ａの概略的な断面図が示されている。
図６には、照明装置の上述した実施例の１つにおいて使用されている発光モジュール１の一部分の斜視図が示されている。
図７には、ここで説明する照明装置の第５の実施例を略示した平面図が示されている。
図８には、ここで説明する照明装置の第６の実施例を略示した平面図が示されている。
【００２６】
実施例および図面において、同一の構成要素または同じ働きをもつ構成要素にはそれぞれ同じ参照符号が付されている。図示されている要素は縮尺通りに示されたものではなく、むしろより良い理解のために個々の要素は誇張して大きく示されている場合もある。
【００２７】
図１には、ここで説明する照明装置の第１の実施例を略示した平面図が示されている。
【００２８】
照明装置は多数の発光モジュール１ａ、１ｂを含んでいる。各発光モジュール１ａ、１ｂは多数の光源グループ２ａ、２ｂ、２０ａ、２０ｂを含んでいる。光源は、図１に記載された実施例の関連において、グループ毎にそれぞれ１つの青色発光ダイオード３ａ、１つの赤色発光ダイオード３ｃおよび１つの緑色発光ダイオード３ｂによって構成されている。
【００２９】
発光モジュール１ａ、１ｂはストリップ状に構成されている。各発光モジュール１ａおよび１ｂの光源グループは、水平方向に延在している直線に沿って配向されている。照明装置の発光モジュール１ａ、１ｂは行形式で照明装置の担体６上に配置されており、そこで機械的に固定される。
【００３０】
照明装置は第１の発光モジュール１ａおよび第２の発光モジュール１ｂを含んでいる。第１の発光モジュール１ａと第２の発光モジュール１ｂは、照明装置の左端および右端にある光源グループ２０ａ、２０ｂにおいて異なっている。発光モジュール１ｂは、ここで発光モジュール１ａを、発光モジュールの導体プレート４上に垂直に延在している軸Ａを中心に１８０°回転させることによって生じる。すなわち、発光モジュール１ａと１ｂは、担体６上の配向だけが相違している。このようにして、照明装置を、その他は同一の発光モジュールから製造することができる。これは、発光モジュールの特に低コストな大量生産を可能にする。第１の発光モジュール１ａと第２の発光モジュール１ｂとを交互に配置することによって、縁部に交互に赤、緑、青の発光ダイオードが配置されている照明装置が実現される。赤色の発光ダイオード、緑色の発光ダイオードおよび青色の発光ダイオードが混ざると、白色光になる。縁部で交互に配置されているので−これに関しては破線２１を参照−縁部領域においても均一な白色混合光が形成される。
【００３１】
発光モジュール１ａ、１ｂの発光ダイオード３ａ、３ｂ、３ｃは、導体プレート４上に載置される。導体プレート４は例えばプリントされた導体プレート、柔軟なプリントされた導体プレートまたはメタルコアプレートである。
【００３２】
図２は、本願に記載された照明装置の第２の実施例の概略的な平面図を示している。図２と関連して記載された実施例では、発光ダイオード３ａ、３ｂ、３ｃは部分的に、発光ダイオード３ａ、３ｂ、３ｃが線形に、すなわち直線に沿って配置されているグループ２になるように配置されている。発光ダイオード３ａ、３ｂ、３ｃの直列配置は殊に１色〜３色の光源グループ２に対して可能である。なぜなら、そうでなければ、色混合に影響が与えられてしまうからである。
【００３３】
図３には、ここで説明する照明装置の第３の実施例の平面図が示されている。図２に関連して記載された実施例と異なり、この実施例では、グループ２０ａ、２０ｂの発光ダイオード３ａ、３ｂ、３ｃも、照明装置の縁部領域において線形に配置されている。しかし、照明装置の中心にあるグループ２に対して相対的に、特定の角度、例えば±４５°だけ回転されている。
【００３４】
図４は、本願に記載された照明装置の第４の実施例の平面図を示している。
【００３５】
第４の実施例に沿った照明装置の発光モジュール１ａ、１ｂは、赤色発光ダイオード３ｃおよび青−緑色発光ダイオード３ｄを含んでいる。青−緑色発光ダイオード３ｄでは、放出された光は部分的にルミネセンス変換材料によって変換される。発光ダイオード３ｄは例えば発光ダイオードチップ３００を含んでおり、この発光ダイオードチップは、ＵＶスペクトル領域および／または青色スペクトル領域の光を生成するのに適している。この発光ダイオードチップにはルミネセンス変換材料が次のように後方に配置されている。すなわち、放射された電磁ビームの一部分が、緑色スペクトル領域の電磁ビームに変換されるように、後方配置されている。このようにして、発光ダイオード３ｄは、青−緑混合光を放射するのに適している。赤色発光ダイオード３ｃおよび青−緑発光ダイオード３ｄはそれぞれ１つの光源グループを構成している。グループ２は、矩形の格子Ｇの格子点ＧＰに配置されている。ここでグループ２の幾何学的形状の重心ＧＳ（図４においてＸによって示されている）は、格子Ｇの格子点ＧＰ上に配置されている。
【００３６】
図５には、照明装置の発光モジュール１において使用されている発光ダイオード３ａの概略的な断面図が示されている。発光ダイオード３ａは、発光ダイオードチップ３００を含んでいる。さらに発光ダイオード３ａは光学素子２００を含んでいる。
【００３７】
光学素子２００のビーム出射面２１０は、凹状に湾曲された部分領域５０を有している。光学素子２００の光軸６０は、凹状に湾曲された部分領域５０を通る。さらに光学素子２００は、凸状に湾曲された部分領域７０を有する。この凸状に湾曲された部分領域は、凹状に湾曲された部分領域５０を、光軸６０に対して間隔をあけて取り囲む。凸状に湾曲された部分領域７０は凸レンズの様式で構成される。凹状に湾曲された部分領域５０は凹レンズの様式で構成される。
【００３８】
発光ダイオードチップ３００のアクティブ領域３０３において生成された電磁ビームは、有利には、平らに構成されたビーム入射面８０を介して、光学素子２００内に入射する。発光ダイオードチップ３００によって生成されたビーム、殊に可視ビーム、すなわち光は、図５において矢印によって示された、個々の光ビームをあらしている線によって明確にされている。
【００３９】
光学素子２００は、面９０、例えば拡散フィルム、または表示装置の任意のユニット（例えばＬＣＤパネル）を均一に照明するように構成されている。光学素子２００の光軸６０は有利には面９０を通る。ここで面９０は有利には光軸６０に対して垂直であるか、または実質的に垂直である。
【００４０】
光軸６０は発光ダイオードチップ３００を通る。有利には発光ダイオードチップ３００は光軸６０に対してセンタリングされている。光軸６０はここで、発光ダイオードチップ３００のアクティブゾーン３０３に対して垂直である。発光ダイオードチップ３００は有利には上述したような、担体３０１および有利にはエピタキシャル成長された半導体ボディ３０２を有する薄膜発光ダイオードチップである。ここでこの半導体ボディはアクティブゾーン３０３を有している。半導体ボディ３０２のための成長基板はここでは除去されている。担体３０１はその後、成長基板から別個にされるので、成長基板に対する高い要求を満たす必要はなく、発光ダイオードチップ３００に対して有利な特性（例えば高い熱電導性）に関して比較的自由に選択される。
【００４１】
図６には、照明装置の上述した実施例の１つにおいて使用されている発光モジュール１の一部分の斜視図が示されている。図６では発光ダイオード３ａ、３ｂおよび３ｃのグループ２が例としてより詳細に示されている。グループ２は２つの緑色の発光ダイオード３ｂ、赤色の発光ダイオード３ｃ並びに青色の発光ダイオード３ａを含んでいる。発光ダイオード３ａ、３ｂ、３ｃは光学素子２００を含んでいる。これは図５に関連して示されている。光学素子２００は凹状に湾曲された部分領域５０を有しており、この部分領域５０は凸状に湾曲された部分領域７０によって完全に包囲されている。光学素子２００はここで、光軸６０に対して回転対称に構成されている。光学素子２００は発光ダイオードの放射特性を次のように形成するのに適している。すなわち、発光ダイオードが、間隔をあけて配置された面９０を特に均一に照明するのに適している。光学素子２００の作用によって、特に均一な白色混合光の生成がさらに助長される。
【００４２】
発光ダイオード３ａ、３ｂ、３ｃはそれぞれ２つの接触箇所１０、１１によって、導体プレート４と電気的に接触している。
【００４３】
グループ２の発光ダイオード３ａ、３ｂ、３ｃは、規則的な格子Ｓの格子点Ｓ１上に配置されている。格子点Ｓ１は有利には、各発光ダイオードの光学素子２００のビーム出射面２１０を通る光軸６０の貫通点と一致する。発光ダイオード３ａ、３ｂ、３ｃが回転対称であるので、格子点Ｓはさらに、光学素子２００の幾何学形状的な重心と一致する。グループ２の個々の発光ダイオード３ａ、３ｂ、３ｃの間の間隔は有利には１０〜２０ｍｍの間である。隣接している、発光ダイオード３ａ、３ｂ、３ｃの２つのグループ２の間の間隔は有利には３０〜１００ｍｍの間である。
【００４４】
図７には、ここで説明する照明装置の第５の実施例を略示した平面図が示されている。図３に関連して記載した実施例とは異なり、この実施例では発光モジュール１ａ、１ｂは横方向においても相互に隣接して配置されている。さらに発光モジュール１ａ、１ｂは、図３に関連して説明したように、行毎に、照明装置の担体６上に配置されており、その場所で機械的に固定されている。
【００４５】
図８には、ここで説明する照明装置の第６の実施例を略示した平面図が示されている。図７に関連して記載した実施例とは異なり、この実施例では発光ダイオード３ａ、３ｂ、３ｃはそれぞれ、十字形の様式で配置されている。すなわち発光ダイオード３ａ、３ｂおよび３ｃのグループは、図６の概略的な斜視図において例示されているように配置されている。ここで各グループ２は、２つの緑色の発光ダイオード３ｂ、１つの赤色の発光ダイオード３ｃ並びに１つの青色の発光ダイオード３ａを含んでいる。
【００４６】
発光ダイオードのグループ２０ａ、２０ｂは発光モジュール１ａ、１ｂの縁部領域において、発光モジュール１ａ、１ｂの中心部にあるグループ２に対して特定の角度だけ回転されている。例えばこれらのグループは±４５°回転されている。ここでは（図８には示されていないが）次のことが可能である。すなわち、発光モジュール１ａを、発光モジュールの導体プレート４上に垂直に延在している軸を中心に１８０°回転させることによって１ｂを形成することが可能である。
【００４７】
本願は、ドイツ連邦共和国特許出願第１０２００５０６０３８２．３号及び１０２００６０３３８９３．６号の優先権を主張するものであり、その開示内容は参照により本願に取り入れられる。
【００４８】
なお、本発明は実施例に基づいたこれまでの説明によって限定されるものではない。むしろ本発明はあらゆる新規の特徴ならびにそれらの特徴のあらゆる組み合わせを含むものであり、これには殊に特許請求の範囲に記載した特徴の組み合わせ各々が含まれ、このことはそのような特徴または特徴の組み合わせ自体が特許請求の範囲あるいは実施例に明示的には記載されていないにしてもあてはまる。
【図面の簡単な説明】
【００４９】
【図１】ここで説明する照明装置の第１の実施例を略示した平面図
【図２】ここで説明する照明装置の第２の実施例を略示した平面図
【図３】ここで説明する照明装置の第３の実施例を略示した平面図
【図４】ここで説明する照明装置の第４の実施例を略示した平面図
【図５】照明装置の発光モジュール１において使用されている発光ダイオード３ａの概略的な断面図
【図６】照明装置の上述した実施例の１つにおいて使用されている発光モジュール１の一部分の斜視図
【図７】ここで説明する照明装置の第５の実施例を略示した平面図
【図８】ここで説明する照明装置の第６の実施例を略示した平面図
【図１】
2009519568.tif 000003
【図２】
2009519568.tif 000004
【図３】
2009519568.tif 000005
【図４】
2009519568.tif 000006
【図５】
2009519568.tif 000007
【図６】
2009519568.tif 000008
【図７】
2009519568.tif 000009
【図８】
2009519568.tif 000010
【国際調査報告】
2009519568.tif 000011
2009519568.tif 000012
2009519568.tif 000013
2009519568.tif 000014
2009519568.tif 000015
2009519568.tif 000016